(57)【要約】【課題】動作品位を低下させることなくトレイの位置を適切に検出可能なディスクドライブの提供【解決手段】ディスクドライブに、ディスクトレイの裏面に配設された第１のガイドシャフト５３と、この第１のガイドシャフト５３に形成された絶縁パターン部５３０と、この絶縁パターン部５３０に摺接する摺接部１９と、絶縁パターン部５３０および摺接部１９の導通状態に基づいてディスクトレイの位置を検出するトレイ位置検出手段と、を設けた。【選択図】図５
2009157967.tif 000002
【特許請求の範囲】
【請求項１】
シャーシと、
このシャーシ内に設けられ、ディスク状の記録媒体を処理するディスク処理部と、
前記シャーシ上において、前記記録媒体をこの記録媒体の面方向に沿って搬送するトレイと、を具備したディスク装置に設けられ、前記トレイの位置を検出するトレイ位置検出装置であって、
前記シャーシおよび前記トレイのうち一方に設けられ、前記トレイの移動方向に沿って配置された導電性を有する導電部と絶縁性を有する絶縁部とからなる絶縁パターン部と、
導電性を有する材料により形成され、前記シャーシおよび前記トレイのうち他方において前記絶縁パターン部に摺接する状態で設けられた摺接部と、
前記絶縁パターン部と前記摺接部との導通状態に基づいて前記トレイの位置を検出するトレイ位置検出手段と、
を備えたことを特徴とするトレイ位置検出装置。
【請求項２】
請求項１に記載のトレイ位置検出装置において、
略棒状に形成され、前記シャーシおよび前記トレイのうち一方に設けられたガイドシャフトと、
前記シャーシおよび前記トレイのうち他方に設けられ前記ガイドシャフトを摺動可能に受けることで前記トレイを前記移動方向に案内する軸受け部と、を備え、
前記導電部は、前記ガイドシャフトの径方向一方側の表面と径方向他方側の表面とを導通する状態で設けられ、
前記絶縁部は、前記径方向一方側の表面と前記径方向他方側の表面とを絶縁する状態で設けられ、
前記摺接部は、前記径方向一方側の表面に摺接する第１の摺接子と、前記径方向他方側の表面に摺接する第２の摺接子とを備え、
前記トレイ位置検出手段は、前記絶縁パターン部を介した前記第１の摺接子と前記第２の摺接子との間の導通状態に基づいて前記トレイの位置を検出する
ことを特徴とするトレイ位置検出装置。
【請求項３】
請求項１または請求項２に記載のトレイ位置検出装置において、
導電性を有する材料により略棒状に形成され、前記シャーシおよび前記トレイのうち一方に設けられかつ接地されたガイドシャフトと、
前記シャーシおよび前記トレイのうち他方に設けられ前記ガイドシャフトを摺動可能に受けることで前記トレイを前記移動方向に案内する軸受け部と、を備え、
前記絶縁パターン部は、前記ガイドシャフトの径方向一方側の表面に設けられた第１のパターン部と、径方向他方側の表面に設けられ前記第１のパターン部と異なるパターンを有する第２のパターン部と、を備え、
前記摺接部は、前記径方向一方側の表面に摺接する第１の摺接子と、前記径方向他方側の表面に摺接する第２の摺接子とを備え、
前記トレイ位置検出手段は、前記第１のパターン部および前記ガイドシャフトを介した前記第１の摺接子と前記接地部分との間の第１の導通状態に基づいて前記トレイの一方向への移動時における位置を検出し、前記第２のパターン部および前記ガイドシャフトを介した前記第２の摺接子と前記接地部分との間の第２の導通状態に基づいて前記トレイの他方向への移動時における位置を検出する
ことを特徴とするトレイ位置検出装置。
【請求項４】
請求項２または請求項３に記載のトレイ位置検出装置において、
前記ガイドシャフトは、その軸を中心に回転可能に設けられ、
前記ガイドシャフトの軸方向一端に設けられ、前記ディスク装置の外部に露出する操作部を備えた
ことを特徴とするトレイ位置検出装置。
【請求項５】
請求項４に記載のトレイ位置検出装置であって、
前記ガイドシャフトの軸方向一端には、その軸と直交する断面が真円以外の形状に形成された非真円部が設けられ、
前記操作部は、前記非真円部と係脱可能に嵌合する凹部を有し、前記非真円部に対して進退可能に設けられた
ことを特徴とするトレイ位置検出装置。
【請求項６】
シャーシと、
このシャーシ内に設けられ、ディスク状の記録媒体を処理するディスク処理部と、
前記シャーシ上において、前記記録媒体をこの記録媒体の面方向に沿って搬送するトレイと、
このトレイの位置を検出する請求項１ないし請求項６のいずれかに記載のトレイ位置検出装置と、
を具備したことを特徴とするディスク装置。
【請求項７】
請求項６に記載のディスク装置において、
印加される電圧により駆動するモータと、
このモータの駆動により前記トレイを移動させる駆動伝達部と、
前記トレイ位置検出手段で検出された前記トレイの位置に基づいて、前記モータに印加する電圧を制御する電圧制御手段と、
を具備したことを特徴とするディスク装置。
【発明の詳細な説明】
【技術分野】
【０００１】
本発明は、トレイの位置を検出するトレイ位置検出装置、および、ディスク装置に関する。
【背景技術】
【０００２】
従来、ディスクローディングの動作は、大きく分けてトレイの開閉とディスクの着脱の２つの動作がある。一般的に、トレイの開閉では負荷が小さく、ディスクの着脱では負荷が大きい。そこで、ディスクローディングの動作を高品位とするために、トレイの開閉動作の途中で印加電圧を変えたり、速度を変えたりする構成が知られている（例えば、特許文献１または特許文献２参照）。
【０００３】
特許文献１に記載のものは、収納位置のトレイを排出位置に移動させる場合、移動開始時に第２の駆動電圧を駆動用モータに印加する。そして、機構部シャーシがアンクランプ対応位置に移動したと見なせる時刻から所定時間分だけ経過したときに、印加する電圧を第１の駆動電圧に向かって下降させる構成が採られている。
特許文献２に記載のものは、トレイの裏面に設けられたカムと、このカムに係合するピンを有するスライド部材と、を備えている。そして、トレイの移動に伴いカムでスライド部材を移動させることで、第１の検出スイッチをオンオフさせて、トレイの位置に応じてモータを高速駆動あるいは低速駆動させる構成が採られている。
【０００４】
【特許文献１】特開２００５−３２７３４１号公報
【特許文献２】特開２００７−４２１８９号公報
【発明の開示】
【発明が解決しようとする課題】
【０００５】
しかしながら、特許文献１のような構成では、部品精度のばらつきや気温の変化による負荷の変動が発生してトレイの速度が変化してしまい、所定時間経過後にトレイが所望の位置に到達しないおそれがある。このため、トレイの位置に対する適切な電圧を印加することができず、トレイの開閉動作で品位が低下するという問題が一例として挙げられる。
また、特許文献２のような構成では、カムの動作でスライド部材を移動させ第１の検出スイッチをオンオフさせることでトレイの位置を検出しているが、このオンオフ時にトレイが揺れてしまい、トレイの動作品位が低下するという問題が一例として挙げられる。
【０００６】
本発明は、このような問題点などに鑑みて、動作品位を低下させることなくトレイの位置を適切に検出可能なトレイ位置検出装置、ディスク装置を提供することを１つの目的とする。
【課題を解決するための手段】
【０００７】
本発明のトレイ位置検出装置は、シャーシと、このシャーシ内に設けられ、ディスク状の記録媒体を処理するディスク処理部と、前記シャーシ上において、前記記録媒体をこの記録媒体の面方向に沿って搬送するトレイと、を具備したディスク装置に設けられ、前記トレイの位置を検出するトレイ位置検出装置であって、前記シャーシおよび前記トレイのうち一方に設けられ、前記トレイの移動方向に沿って配置された導電性を有する導電部と絶縁性を有する絶縁部とからなる絶縁パターン部と、導電性を有する材料により形成され、前記シャーシおよび前記トレイのうち他方において前記絶縁パターン部に摺接する状態で設けられた摺接部と、前記絶縁パターン部と前記摺接部との導通状態に基づいて前記トレイの位置を検出するトレイ位置検出手段と、を備えたことを特徴とする。
【０００８】
本発明のディスク装置は、シャーシと、このシャーシ内に設けられ、ディスク状の記録媒体を処理するディスク処理部と、前記シャーシ上において、前記記録媒体をこの記録媒体の面方向に沿って搬送するトレイと、このトレイの位置を検出する請求項１ないし請求項６のいずれかに記載のトレイ位置検出装置と、を具備したことを特徴とする。
【発明を実施するための最良の形態】
【０００９】
［第１実施形態］
以下、本発明の第1実施形態を図面に基づいて説明する。
本実施形態では、ディスク状の記録媒体としての光ディスクに情報を記録および読み出す処理装置であるディスク装置としてのディスクドライブを例示して説明する。なお、例えば携帯型のディスク装置やディスクドライブを備えた例えば映像データの録画などの記録や再生のための処理をする再生装置、記録装置あるいはゲーム機など、光ディスクに限らず、磁気ディスク、光磁気ディスクなどのいずれの記録媒体に各種情報を記録、あるいは読み出すいずれのディスク装置を対象とすることができる。また、記録媒体としては、ＣＤ（Compact Disc）、ＤＶＤ（Digital Versatile Disc）、ＢＤ（Blu-ray Disc：ブルーレイディスク）、ＨＤ−ＤＶＤ（High Definition DVD）などが例示できる。
【００１０】
〔ディスクドライブの構成〕
図１は、本実施形態のディスクドライブの構成を示す分解斜視図である。図２は、ディスクトレイのオープン状態を示す平面図である。図３は、図２のIII−III線に沿った断面図である。図４は、前記第１実施形態におけるディスクトレイのクローズ状態の要部側面図である。図５は、絶縁パターン部を示す模式図であり、（Ａ）は左面、（Ｂ）は上面、（Ｃ）は右面を示す図である。図６は、制御部の概略構成を示すブロック図である。
【００１１】
図１において、１００はディスクドライブで、このディスクドライブ１００は、金属製のケース体１０を有している。このケース体１０は、下面および前面が２面に亘って開口する上ケース１１と、この上ケース１１の下面を閉塞する下ケース１２と、上ケース１１の前面を閉塞する化粧板１３とを有している。
さらに、化粧板１３には、窓部１３ａが開口形成されている。
【００１２】
また、ケース体１０は、合成樹脂製のシャーシ１５を備えている。
このシャーシ１５は、上ケース１１、下ケース１２および化粧板１３とにてケース体１０を構成し、内部に収容空間１８を区画形成する。そして、シャーシ１５は、上ケース１１の側板部の内面に密着する側面部１５ａと、上ケース１１の端板部の内面に密着する端面部１５ｂと、側面部１５ａおよび端面部１５ｂの内面側に内方に向けて突出する支持リブ１５ｃと、側面部１５ａの端面部１５ｂと反対側である前面側の端部に架橋するように設けられた開閉駆動配設部１５ｄとを有し、軸方向の両端面を開口する略長方形枠状に形成されている。
【００１３】
シャーシ１５の支持リブ１５ｃ上には、後述のディスクトレイ５０の第1のガイドシャフト５３を摺動可能に支持する２個の第１の軸受け部１６１と、第２のガイドシャフト５９を摺動可能に支持する1個の第２の軸受け部１６２と、第１のガイドシャフト５３を挟持する一対の摺接部１９とが配設されている。
【００１４】
第一の軸受け部１６１は、図１〜図４に示すように、略円筒状の挿通孔１６１Ａを有している。また、第２の軸受け部１６２は、図1〜図３に示すように、断面略コ字形状に形成され、その開口部が側面部１５ａ側に位置する向きで配置されている。
【００１５】
摺接部１９は、図１〜図４に示すように、第１の摺接子１９１と、第２の摺接子１９２とを有している。第１，第２の摺接子１９１，１９２は、支持リブ１５ｃに固定される平面上の固定部１９１Ａ，１９２Ａと、固定部１９１Ａ，１９２Ａの一面から垂直方向に一体的に立ち上げられた帯状の摺接子片１９１Ｂ、１９２Ｂと、この摺接子片１９１Ｂ、１９２Ｂの先端に断面略く字形状に折り曲げ形成された挟持部１９１Ｃ，１９２Ｃと、を備えている。
そして、第１，第２の摺接子１９１，１９２は、挟持部１９１Ｃ，１９２Ｃの断面略く字形状の開口部が互いに対向する向きに配置される。この第１，第２の摺接子１９１，１９２は、弾性を有しており、挟持部１９１Ｃ，１９２Ｃにより、第１のガイドシャフト５３を両側から一定の荷重で押圧することにより挟持する。
【００１６】
また、シャーシ１５には、図１に示すように、回転子支持部材１７が設けられている。
回転子支持部材１７には、支持孔１７ｂが開口形成されている。この支持孔１７ｂには、略円盤状の回転子２９が回転可能に載置されている。また、この回転子２９には、図示しない磁性材料が一体的に取り付けられ、回転子２９は、ターンテーブル２７の磁石の磁力にて光ディスク２００をターンテーブル２７とにより挟持する。
【００１７】
また、このシャーシ１５には、ディスク処理部としての本体部２０が配設されている。
この本体部２０は、例えば金属製の平板枠状に形成された台座部２１を有している。この台座部２１は、支持リブ１５ｃに一縁が上下方向に回動可能に他縁がねじ止めされて取り付けられている。この台座部２１の一縁には、台座部２１の他縁を中心とした回動を案内する回動案内部２２が一体的に取り付けられている。
【００１８】
さらに、台座部２１には、回動する一縁側に位置してディスク回転駆動手段２５が配設されている。
このディスク回転駆動手段２５は、ターンテーブル２７を有している。このターンテーブル２７は、光ディスク２００の中心に開口形成された軸孔２１０に嵌挿する。そして、ターンテーブル２７の先端部には、図示しない磁石が埋設されている。
【００１９】
また、台座部２１には、処理移動手段３０が配設されている。
この処理移動手段３０は、一対のシャフト３１および移動用電動モータ３２を備えている。
【００２０】
さらに、処理移動手段３０には、記録再生手段４０が配設されている。
この記録再生手段４０は、一対のシャフト３１に架橋する状態で保持された移動保持部４１を有している。また、移動保持部４１には、ピックアップ４２が配設されている。
【００２１】
さらに、シャーシ１５には、支持リブ１５ｃの上方側で水平方向に進退可能に移動するトレイとしてのディスクトレイ５０が配設されている。
【００２２】
このディスクトレイ５０は、例えば合成樹脂にて略長方形板状に形成され、光ディスク２００が載置されるトレイ部５１を有している。そして、このトレイ部５１の一縁には、化粧板１３の窓部１３ａを閉塞する長手板状の窓閉塞板部５２が着脱可能に取り付けられている。
【００２３】
さらに、ディスクトレイ５０の裏面における長手方向に沿った両縁側には、図1〜図４に示すように、第1のガイドシャフト５３および第2のガイドシャフト５９がそれぞれ設けられている。
第1のガイドシャフト５３は、導電性を有する材料で形成されている。また、この第1のガイドシャフト５３の表面には、図５（Ａ）〜（Ｃ）に示すように、絶縁パターン部５３０が設けられている。
【００２４】
この絶縁パターン部５３０は、ディスクトレイ５０のクローズ方向側の端部からオープン方向側の端部にかけて並んで設けられた第１の導電部５３１と、第１の絶縁部５３２と、第２の導電部５３３と、第２の絶縁部５３４と、から構成されている。
第１，第２の絶縁部５３２，５３４は、絶縁体がコーティングされることで形成され、第１のガイドシャフト５３における第１の摺接子１９１が摺接する左半分の表面に設けられている。つまり、第１，第２の絶縁部５３２，５３４は、第１のガイドシャフト５３の径方向一方側の表面と他方側の表面とを絶縁する状態で設けられている。
また、第１，第２の導電部５３１，５３３は、絶縁体がコーティングされていない部分であり、第１のガイドシャフト５３の周方向に沿って連続的に設けられている。つまり、第１，第２の導電部５３１，５３３は、第１のガイドシャフト５３の径方向一方側の表面と他方側の表面とを導通する状態で設けられている。
【００２５】
そして、第１，第２の導電部５３１，５３３が第１，第２の摺接子１９１，１９２で挟持された場合、第１，第２の摺接子１９１，１９２の間で通電可能なオン状態（以下、トレイ位置検出スイッチのオン状態と適宜称す）となる。また、第１，第２の絶縁部５３２，５３４が第１，第２の摺接子１９１，１９２で挟持された場合、第１，第２の摺接子１９１，１９２の間で通電不可能なオフ状態（以下、トレイ位置検出スイッチのオフ状態と適宜称す）となる。
そして、ディスクトレイ５０は、ケース体１０内における本体部２０が光ディスク２００を処理可能なクローズ完了位置と、ケース体１０外に光ディスク２００が位置して利用者により光ディスク２００を取出可能なオープン完了位置との間で適宜移動する。
【００２６】
また、シャーシ１５には、図１に示すように、開閉駆動配設部１５ｄに位置してディスクトレイ５０を進退移動させる開閉駆動手段６０が配設されている。
この開閉駆動手段６０は、ギヤ、プーリ、無端ベルトなどを備えた駆動伝達部６１と、モータとしての出入用電動モータ６４と、を備えている。そして、開閉駆動手段６０は、出入用電動モータ６４の駆動により、駆動伝達部６１を介してディスクトレイ５０を化粧板１３の窓部１３ａから進退させる。
【００２７】
また、開閉駆動手段６０は、シャーシ１５の開閉駆動配設部１５ｄに側面部１５ａの対向方向に沿って移動可能に配設された移動カム６８を有している。
この移動カム６８は、出入用電動モータ６４の駆動にて駆動伝達部６１が駆動すると、シャーシ１５の幅方向に沿って移動し、回動案内部２２が係合するリンク溝部内で摺動すなわち相対的に移動して台座部２１をシャーシ１５の軸方向である上下方向に回動させる。
【００２８】
そして、上述したディスク回転駆動手段２５、処理移動手段３０、記録再生手段４０および開閉駆動手段６０により、本体部２０が構成される。
【００２９】
また、シャーシ１５には、回路基板７０が取り付けられている。
この回路基板７０のシャーシ１５に対向する面には、ディスクトレイ５０がクローズ完了位置からオープン完了位置に到達する直前の位置（以下、オープン完了直前位置と称す）まで移動したことを検出するオープン検出スイッチ７１が配置されている。また、下ケース１２に対向する面には、制御部７２が搭載されている。
【００３０】
オープン検出スイッチ７１は、本体部７１１と、左右方向に移動可能な切替部７１２とからなり、ディスクトレイ５０がクローズ完了位置からオープン完了直前位置まで移動したことを検出する。オープン検出スイッチ７１は、図２に示すように、移動カム６８と重なる位置に配置され、切替部７１２が、移動カム６８の窓部６８１から突出している。そして、ディスクトレイ５０がクローズ完了位置およびオープン完了直前位置に位置する際に左または右に移動してオン状態となり、これらの間に位置する際にオフ状態となる。
【００３１】
制御部７２は、ディスクドライブ１００の動作を制御する。そして、制御部７２は、図６に示すように、トレイ位置検出手段７２１と、オープン検出手段７２２と、電圧制御手段７２３と、を備えている。
なお、摺接部１９と、第１のガイドシャフト５３と、第１の軸受け部１６１と、絶縁パターン部５３０と、トレイ位置検出手段７２１と、により、本発明のトレイ位置検出装置が構成されている。
【００３２】
トレイ位置検出手段７２１は、第１，第２の摺接子１９１，１９２間での導通状態、つまりトレイ位置検出スイッチのオンオフ状態に基づいて、ディスクトレイ５０の位置を検出する。オープン検出手段７２２は、オープン検出スイッチ７１のオンオフ状態を検出する。電圧制御手段７２３は、トレイ位置検出スイッチおよびオープン検出スイッチ７１のオンオフ状態に基づいて、出入用電動モータ６４に印加する電圧を制御して、ディスクトレイ５０をクローズ完了位置と、オープン完了直前位置との間で移動させる。なお、電圧制御手段７２３による制御の詳細については後述する。
【００３３】
〔ディスクドライブの動作〕
次に、上記第1実施形態におけるディスクドライブ１００の動作を図７に基づいて説明する。なお、ここでは、ディスクトレイ５０が第1のガイドシャフト５３に沿って移動する状態について詳細に説明し、このディスクトレイ５０の移動に伴う本体部２０などの動作については、説明を省略する。
図７は、ディスクドライブの開閉時の電圧の制御状態を示すタイミングチャートである。
【００３４】
ここでは、ディスクトレイ５０がオープンした状態から説明を始める。
クローズ処理の動作中においては、図５に示すように、摺接部１９が第１の導電部５３１、第１の絶縁部５３２、第２の導電部５３３、第２の絶縁部５３４の順に摺接するように、ディスクトレイ５０が移動する。
【００３５】
まず、回路基板７０の制御部７２は、図７に示すように、オープン検出スイッチ７１がオン状態、摺接部１９が第１の導電部５３１に摺接しているトレイ位置検出スイッチのオン状態のときに、つまりディスクトレイ５０がクローズ完了位置からＬａの位置にあるときに、電圧制御手段７２３により、ディスクトレイ５０をクローズする旨の操作を認識すると、出入用電動モータ６４に−Ｖａの電圧を印加する。この電圧の印加により、ディスクトレイ５０は、第１のガイドシャフト５３が摺接部１９に摺接しながらクローズ完了位置へ向けて移動を開始する。また、この移動開始に伴い、移動カム６８が左方向に移動して、オープン検出スイッチ７１がオフ状態に切り替わる。
そして、トレイ位置検出手段７２１は、トレイ位置検出スイッチがオフ状態に切り替わると、摺接部１９が第１の絶縁部５３２に摺接するＬｂの位置までディスクトレイ５０が移動したことを検出する。そして、電圧制御手段７２３は、−Ｖｂになるまで印加電圧を徐々に下げていく。
【００３６】
次に、トレイ位置検出スイッチがオン状態に切り替わり、摺接部１９が第２の導電部５３３に摺接するＬｃの位置までディスクトレイ５０が移動したことが検出されると、電圧制御手段７２３は、−Ｖｂの一定の電圧を印加する。
そして、トレイ位置検出スイッチがオフ状態に切り替わり、摺接部１９が第２の絶縁部５３４に摺接する位置０ｍｍの位置、つまりクローズ完了位置までディスクトレイ５０が移動すると、電圧制御手段７２３は、−Ｖｃの電圧を印加して、台座部２１を上昇させる。さらに、移動カム６８が移動して、オープン検出スイッチ７１がオン状態に切り替わると、電圧制御手段７２３は、＋Ｖｄの電圧を印加して出入用電動モータ６４を逆回転させ、台座部２１の移動に対してブレーキをかける。そして、Ｔｍｓ（ミリ秒）後に電圧の印加を終了することで、クローズ処理を終了する。
【００３７】
次に、オープン処理の動作について説明する。
オープン処理の動作中は、クローズ処理の動作とほぼ逆の動作であり、図５に示すように、摺接部１９が第２の絶縁部５３４、第２の導電部５３３、第１の絶縁部５３２、第１の導電部５３１の順に摺接するように、ディスクトレイ５０が移動する。
【００３８】
まず、電圧制御手段７２３は、ディスクトレイ５０をオープンする旨の操作を認識すると、出入用電動モータ６４に＋Ｖｃの電圧を印加する。この電圧の印加により、出入用電動モータ６４がクローズ処理時と逆方向に回転し、台座部２１は下降する。
この台座部２１の下降の開始とともに移動カム６８が右方向へ移動し、オープン検出スイッチ７１がオフ状態に切り替わる。
【００３９】
そして、トレイ位置検出スイッチがオン状態に切り替わり、摺接部１９が第２の導電部５３３と摺接する０ｍｍを超える位置にディスクトレイ５０が移動すると、電圧制御手段７２３は、＋Ｖｂの電圧を印加する。
次に、トレイ位置検出スイッチがオフ状態に切り替わり、摺接部１９が第１の絶縁部５３２と摺接するＬｃの位置までディスクトレイ５０が移動すると、電圧制御手段７２３は、＋Ｖａになるまで印加電圧を徐々に下げる。
そして、トレイ位置検出スイッチがオン状態に切り替わり、摺接部１９が第１の導電部５３１と摺接するＬｂの位置までディスクトレイ５０が移動すると、＋Ｖａの一定の電圧を印加する。
そして、ディスクトレイ５０がオープン完了直前位置のＬａの位置まで移動して、オープン検出スイッチ７１がオン状態に切り替わると、−Ｖｄの電圧を印加して出入用電動モータ６４を逆回転させ、ディスクトレイ５０の移動に対してブレーキをかける。そして、Ｔｍｓ（ミリ秒）後に電圧の印加を終了することで、オープン処理を終了する。
【００４０】
〔第１実施形態の作用効果〕
以上の第１実施形態によれば、以下の作用効果が期待できる。
【００４１】
（１）ディスクドライブ１００に、ディスクトレイ５０の裏面に配設された第１のガイドシャフト５３と、この第１のガイドシャフト５３に形成された絶縁パターン部５３０と、この絶縁パターン部５３０に摺接する摺接部１９と、絶縁パターン部５３０および摺接部１９の導通状態に基づいてディスクトレイ５０の位置を検出するトレイ位置検出手段７２１と、を設けている。
このため、部品精度のばらつきや気温の変化により影響を受けない絶縁パターン部５３０と、摺接部１９との導通状態に基づいて、ディスクトレイ５０の位置を検出するので、ディスクトレイ５０の位置を適切に検出できる。また、ディスクトレイ５０の移動方向に沿って設けられた絶縁パターン部５３０と、摺接部１９とを摺接させるので、トレイ位置検出スイッチのオンオフ時にディスクトレイ５０が揺れることがない。
したがって、ディスクトレイ５０の動作品位を低下させることなくトレイの位置を適切に検出可能なディスクドライブ１００を提供できる。
【００４２】
（２）第１のガイドシャフト５３に絶縁パターン部５３０を形成するとともに、摺接部１９を第１のガイドシャフト５３を左右側から挟持する第１，第２の摺接子１９１，１９２で構成している。
このため、絶縁パターン部５３０を形成する部材として従来ある第１のガイドシャフト５３を利用することで、部品点数の削減を図ることができる。
【００４３】
（３）第１のガイドシャフト５３に絶縁性のコーティングを施すことで、絶縁パターン部５３０を形成している。
このため、絶縁パターン部５３０を容易に形成することができる。また、様々なパターンを容易に形成できる。さらに、構造的な制限がなく、細かい制御にも十分に対応することができる。
【００４４】
（４）摺接部１９の第１，第２の摺接子１９１，１９２に弾性を持たせている。
このため、第１のガイドシャフト５３の移動時のがたつきを抑制できる。
【００４５】
（５）トレイ位置検出手段７２１で検出されたディスクトレイ５０の位置に基づいて、出入用電動モータ６４に印加する電圧を制御する電圧制御手段７２３を設けている。
このため、適切に検出されたディスクトレイ５０の位置に基づいて印加電圧を制御することで、適切にディスクトレイ５０を移動させることができ、動作品位を高めることができる。
【００４６】
［第２実施形態］
次に、本発明の第２実施形態について説明する。
この第２実施形態は、第１のガイドシャフト５５の絶縁パターン部５５０が異なることと、第１のガイドシャフト５５を接地したことと、制御部７３の動作以外は第１実施形態と同様であるので、同様の事項については説明を省略する。
【００４７】
〔ディスクドライブの構成〕
図８は、絶縁パターン部を示す模式図であり、（Ａ）は左面、（Ｂ）は上面、（Ｃ）は右面を示す図である。
【００４８】
図８（Ａ）〜（Ｃ）に示すように、第１のガイドシャフト５５は、接地されている。なお、図８（Ａ）〜（Ｃ）は接地状態を簡易的に示したものであり、実際の接地状態を表すものではない。
そして、この第１のガイドシャフト５５の表面には、絶縁体を所定のパターンでコーティングすることで形成された絶縁パターン部５５０が設けられている。
【００４９】
この絶縁パターン部５５０は、第１の摺接子１９１が摺接する左半分の表面に設けられた第１のパターン部としての左側パターン部５５１と、第２の摺接子１９２が摺接する右半分の表面に設けられ左側パターン部５５１と異なる第２のパターン部としての右側パターン部５５２と、を備えている。
左側パターン部５５１は、図８（Ａ），（Ｂ）に示すように、クローズ方向側からオープン方向側にかけて並んで設けられた第１の左導電部５５１Ａと、第１の左絶縁部５５１Ｂと、第２の左導電部５５１Ｃと、第２の左絶縁部５５１Ｄと、から構成されている。
右側パターン部５５２は、図８（Ｂ），（Ｃ）に示すように、クローズ方向側からオープン方向側にかけて並んで設けられた右導電部５５２Ａと、右絶縁部５５２Ｂと、から構成されている。右導電部５５２Ａは、第１，第２の左導電部５５１Ａ，５５１Ｃ、第２の左絶縁部５５１Ｂの右側に設けられている。右絶縁部５５２Ｂは、第２の左絶縁部５５１Ｄの右側に設けられている。
【００５０】
そして、第１，第２の左導電部５５１Ａ，５５１Ｃが第１の摺接子１９１と摺接した場合、第１の摺接子１９１と接地部分との間で通電可能なオン状態（以下、第１のトレイ位置検出スイッチのオン状態と適宜称す）となる。また、第１，第２の左絶縁部５５１Ｂ，５５１Ｄが第１の摺接子１９１と摺接した場合、第１の摺接子１９１と接地部分との間で通電不可能なオフ状態（以下、第１のトレイ位置検出スイッチのオフ状態と適宜称す）となる。
さらに、右導電部５５２Ａが第２の摺接子１９２と摺接した場合、第２の摺接子１９２と接地部分との間で通電可能なオン状態（以下、第２のトレイ位置検出スイッチのオン状態と適宜称す）となる。また、右絶縁部５５２Ｂが第２の摺接子１９２と摺接した場合、第２の摺接子１９２と接地部分との間で通電不可能なオフ状態（以下、第２のトレイ位置検出スイッチのオフ状態と適宜称す）となる。
【００５１】
図６に示す制御部７３のトレイ位置検出手段７３１は、第１，第２の摺接子１９１，１９２と接地部分との間での導通状態、つまり第１，第２のトレイ位置検出スイッチのオンオフ状態に基づいて、ディスクトレイ５０の位置を検出する。
また、電圧制御手段７３３は、クローズ処理時には、第１のトレイ位置検出スイッチおよびオープン検出スイッチ７１のオンオフ状態に基づいて、オープン処理時には、第２のトレイ位置検出スイッチおよびオープン検出スイッチ７１のオンオフ状態に基づいて、出入用電動モータ６４に印加する電圧を制御する。
【００５２】
〔ディスクドライブの動作〕
次に、上記第２実施形態におけるにおけるディスクドライブ１００の動作を図９に基づいて説明する。
図９は、ディスクドライブの開閉時の電圧の制御状態を示すタイミングチャートである。
【００５３】
クローズ処理時において、上述したように、電圧制御手段７３３は、第１のトレイ位置検出スイッチおよびオープン検出スイッチ７１のオンオフ状態に基づいて、印加電圧を制御する。ここで、図９に示す第１のトレイ検出スイッチのオンオフタイミングと、図７に示す第１実施形態のトレイ検出スイッチのオンオフタイミングとは同一であるため、電圧制御状態も第１実施形態と同一となる。このため、詳細な説明は省略する。
なお、第２のトレイ位置検出スイッチは、ディスクトレイ５０がＬａから０ｍｍの位置まで移動する間は右導電部５５２Ａが第１の摺接子１９１と摺接するオン状態であり、０ｍｍの位置に到達すると右絶縁部５５２Ｂが第１の摺接子１９１と摺接するオフ状態に切り替わる。
【００５４】
次に、オープン処理の動作について説明する。なお、このオープン処理では、電圧制御に関係がない第１のトレイ位置検出スイッチのオンオフ状態については説明を省略する。
電圧制御手段７３３は、オープン検出スイッチ７１がオン状態、第２のトレイ位置検出スイッチがオフ状態のときに、ディスクトレイ５０をオープンする旨の操作を認識すると、出入用電動モータ６４に＋Ｖｃの電圧を印加して、台座部２１を下降させる。このとき、オープン検出スイッチ７１がオフ状態に切り替わる。
【００５５】
そして、第２のトレイ位置検出スイッチがオン状態に切り替わり、第２の摺接子１９２が右導電部５５２Ａと摺接する０ｍｍを超える位置にディスクトレイ５０が移動すると、電圧制御手段７２３は、＋Ｖｅの電圧を印加する。そして、Ｌｃの位置、Ｌｂの位置にディスクトレイ５０が到達しても、第２のトレイ位置検出スイッチのオン状態が維持されるので、＋Ｖｅの電圧を印加し続ける。そして、ディスクトレイ５０がＬａの位置に到達して、オープン検出スイッチ７１がオン状態に切り替わると、−Ｖｄの電圧を印加してディスクトレイ５０の移動に対してブレーキをかけ、Ｔｍｓ（ミリ秒）後に電圧の印加を終了することで、オープン処理を終了する。
【００５６】
〔第２実施形態の作用効果〕
上述したように、第２実施形態では、第１実施形態の（１）〜（５）と同様の作用効果に加えて、以下の作用効果を期待できる。
【００５７】
（６）絶縁パターン部５５０を、第１の摺接子１９１が摺接する左半分の表面に設けられた左側パターン部５５１と、第２の摺接子１９２が摺接する右半分の表面に設けられ左側パターン部５５１と異なる右側パターン部５５２と、で構成している。さらに、第１のガイドシャフト５５を接地している。そして、トレイ位置検出手段７２１により、第１，第２の摺接子１９１，１９２と接地部分との間での導通状態に基づいて、つまり第１，第２のトレイ位置検出スイッチのオンオフ状態に基づいて、ディスクトレイ５０の位置を検出している。
このため、第１，第２のトレイ位置検出スイッチを選択的に利用することで、ディスクトレイ５０が同一の位置を通過する場合でも、クローズ処理とオープン処理とで異なる電圧を印加することができる。したがって、より高品位なローディングを行うディスクドライブを提供することができる。
【００５８】
［実施形態の変形］
なお、本発明は、上述した実施形態に限定されるものではなく、本発明の目的を達成できる範囲で以下に示される変形をも含むものである。
【００５９】
すなわち、図１０および図１１に示すように、シャーシ１５に設けられた摺接部８０を構成する第１，第２の摺接子８０１，８０２の挟持部８０１Ｃ，８０２Ｃとして、開口部の小さい断面略く字形状に形成したものを適用してもよい。これにより、挟持部８０１Ｃ，８０２Ｃと第１のガイドシャフト５６との接触幅が、挟持部１９１Ｃ，１９２Ｃと第１のガイドシャフト５３，５５との接触幅よりも小さくなる。
そして、図１２に示すように、第１のガイドシャフト５６の上面および下面に第１のパターン部５６１を、右斜め上面および左斜め下面に第２のパターン部５６２を、右斜め下面および左斜め上面に第３のパターン部５６３を形成すると、第１のガイドシャフト５６を６０°単位で回転させることで３つの電圧制御パターンが得られる。なお、第１のガイドシャフト５６の上面および下面に第１のパターン部を、右面および左面に第２のパターン部を形成すると、第１のガイドシャフト５６を９０°単位で回転させることで２つの電圧制御パターンが得られる。
【００６０】
次に、第１のガイドシャフト５６を回転させる機構について説明する。
図１１および図１２に示すように、第１のガイドシャフト５６の窓閉塞板部５２側の先端には、第１のガイドシャフト５６の断面の中心部に略正六角柱状の非真円部としての中心軸５６５が突出して設けられている。なお、中心軸５６５は、この形状に限られず、略四角柱状、略八角柱状、楕円柱状など、断面が真円以外の形状であればいかなる形状でもよい。
【００６１】
また、第１のガイドシャフト５６と窓閉塞板部５２との間には、操作部としてのキャップ５７が取り付けられる。
このキャップ５７は、六角柱状の本体部５７１と、この本体部５７１内に形成され中心軸５６５が係脱可能に嵌合する凹部５７２と、本体部５７１の端部に形成された凸部５７３と、を備えている。
凸部５７３は、本体部５７１よりも一回り小さい外周の略円柱状に形成されている。凸部５７３の端面５７３Ａは、ディスクドライブ１００の外部に露出し、略直方体状に凹んだ係止部５７３Ｂが形成されている。
また、中心軸５６５の先端５６５Ａと、凹部５７２の底面５７２Ａとの間には、ばね５８が配置される。
【００６２】
窓閉塞板部５２には、キャップ５７が嵌合する接合孔５２１が形成されている。
接合孔５２１は、キャップ５７の凸部５７３が嵌合する断面略円形状の丸孔部５２１Ａと、キャップ５７の本体部５７１が嵌合する断面略六角形状の六角孔部５２１Ｂとからなる。
丸孔部５２１Ａは、ディスクドライブ１００の外部側に設けられている。六角孔部５２１Ｂは、ディスクドライブ１００の内部側に設けられている。
【００６３】
そして、中心軸５６５とキャップ５７の凹部５７２とがばね５８を介して嵌合することで、第１のガイドシャフト５６とキャップ５７とを一体的に回転させることができるとともに、キャップ５７を中心軸５６５に対して進退させることができる。さらに、キャップ５７の本体部５７１と凸部５７３とが窓閉塞板部５２の六角孔部５２１Ｂと丸孔部５２１Ａとに嵌合することで、窓閉塞板部５２に対するキャップ５７および第１のガイドシャフト５６の回転を規制できる。
【００６４】
以上のような構成であれば、ディスクドライブ１００の外部から第１のガイドシャフト５６を回転させることができる。具体的には、図１３に示すように、外部に露出した係止部５７３Ｂにドライバーなどを挿入し、そのまま奥に押し込むことでキャップ５７を奥に押し込む。キャップ５７が押し込まれると、図１４に示すように、六角孔部５２１Ｂと本体部５７１との嵌合が外れる。これにより、キャップ５７および第１のガイドシャフト５６が回転可能な状態となる。そして、第１のガイドシャフト５６を所望の角度に回転させた後、ドライバーを引いて本体部５７１と六角孔部５２１Ｂとを嵌合させ、キャップ５７を元の位置に戻す。
【００６５】
このように、第１のガイドシャフト５６を６０°単位で回転させることができるので、第１のガイドシャフト５６の表面に形成した第１〜第３のパターン部５６１〜５６３による３つの電圧制御パターンを得ることができる。
【００６６】
また、上記実施形態では、第１のガイドシャフト５３，５５，５６に絶縁体のコーティングを施したが、部分的に絶縁体のコーティングを施した導電体のシートをディスクトレイ５０の裏面に設け、ディスクトレイ５０の移動とともに、導電体のシートを摺接部１９が摺接する構成としてもよい。このような構成でも、前述と同様の効果が得られる。
【００６７】
また、第１のガイドシャフト５３，５５，５６をシャーシ１５に設け、第１の軸受け部１６１をディスクトレイ５０に設けてもよい。さらに、摺接部１９，８０を第１の摺接子１９１，８０１のみで構成してもよい。
【００６８】
さらに、上記実施形態では、導電性のガイドシャフトに絶縁性のコーティングを施したが、絶縁性のガイドシャフトに導電性のコーティングを施して絶縁パターン部を形成してもよい。
【００６９】
その他、本発明の実施の際の具体的な構造および手順は、本発明の目的を達成できる範囲で他の構造などに適宜変更できる。
【００７０】
［実施形態の作用効果］
上記実施形態では、ディスクドライブ１００に、ディスクトレイ５０の裏面に配設された第１のガイドシャフト５３と、この第１のガイドシャフト５３に形成された絶縁パターン部５３０と、この絶縁パターン部５３０に摺接する摺接部１９と、絶縁パターン部５３０および摺接部１９の導通状態に基づいてディスクトレイ５０の位置を検出するトレイ位置検出手段７２１と、を設けている。
このため、部品精度のばらつきや気温の変化により影響を受けない絶縁パターン部５３０と、摺接部１９との導通状態に基づいて、ディスクトレイ５０の位置を検出するので、ディスクトレイ５０の位置を適切に検出できる。また、ディスクトレイ５０の移動方向に沿って設けられた絶縁パターン部５３０と、摺接部１９とを摺接させるので、トレイ位置検出スイッチのオンオフ時にディスクトレイ５０が揺れることがない。
したがって、ディスクトレイ５０の動作品位を低下させることなくトレイの位置を適切に検出可能なディスクドライブ１００を提供できる。
【図面の簡単な説明】
【００７１】
【図１】本発明の第１実施形態に係るディスクドライブの構成を示す分解斜視図である。
【図２】前記第１実施形態におけるディスクトレイのオープン状態を示す平面図である。
【図３】図２のIII−III線に沿った断面図である。
【図４】前記第１実施形態におけるディスクトレイのクローズ状態の要部側面図である。
【図５】前記第１実施形態における絶縁パターン部を示す模式図であり、（Ａ）は左面、（Ｂ）は上面、（Ｃ）は右面を示す図である。
【図６】前記第１実施形態および本発明の第２実施形態に係る制御部の概略構成を示すブロック図である。
【図７】前記第１実施形態におけるディスクドライブの開閉時の電圧の制御状態を示すタイミングチャートである。
【図８】前記第２実施形態における絶縁パターン部を示す模式図であり、（Ａ）は左面、（Ｂ）は上面、（Ｃ）は右面を示す図である。
【図９】前記第２実施形態におけるディスクドライブの開閉時の電圧の制御状態を示すタイミングチャートである。
【図１０】本発明の他の実施形態に係るディスクドライブの要部を示す正面から見た断面図である。
【図１１】前記他の実施形態におけるディスクドライブの要部を示す上面から見た部分断面図である。
【図１２】前記他の実施形態におけるディスクドライブの要部を示す分解斜視図である。
【図１３】前記他の実施形態におけるディスクドライブの要部を示す正面から見た図である。
【図１４】前記他の実施形態におけるディスクドライブの要部を示す上面から見た部分断面図である。
【符号の説明】
【００７２】
１５…シャーシ
１９，８０…トレイ位置検出装置を構成する摺接部
２０…ディスク処理部としての本体部
５０…トレイとしてのディスクトレイ
５３，５５，５６…トレイ位置検出装置を構成する第１のガイドシャフト
５７…操作部としてのキャップ
６１…駆動伝達部
６４…モータとしての出入用電動モータ
１００…ディスク装置としてのディスクドライブ
１６１…トレイ位置検出装置を構成する軸受け部
１９１，１９２，８０１，８０２…摺接子
５３０，５５０…トレイ位置検出装置を構成する絶縁パターン部
５３１，５３３…導電部
５３２，５３４…絶縁部
５５１…第１のパターン部としての左側パターン部
５５１Ａ，５５１Ｃ…左導電部
５５１Ｂ，５５１Ｄ…左絶縁部
５５２…第２のパターン部としての右側パターン部
５５２Ａ…右導電部
５５２Ｂ…右絶縁部
５６１〜５６３…パターン部
５６５…非真円部としての中心軸
５７２…凹部
７２１，７３１…トレイ位置検出装置を構成するトレイ位置検出手段
７２３，７３３…トレイ位置検出装置を構成する電圧制御手段
【図１】
2009157967.tif 000003
【図２】
2009157967.tif 000004
【図３】
2009157967.tif 000005
【図４】
2009157967.tif 000006
【図５】
2009157967.tif 000007
【図６】
2009157967.tif 000008
【図７】
2009157967.tif 000009
【図８】
2009157967.tif 000010
【図９】
2009157967.tif 000011
【図１０】
2009157967.tif 000012
【図１１】
2009157967.tif 000013
【図１２】
2009157967.tif 000014
【図１３】
2009157967.tif 000015
【図１４】
2009157967.tif 000016